(57)【特許請求の範囲】
【請求項１】
呼び水が必要な原水取水用の自吸式ポンプと、
前記自吸式ポンプから吐出された水の水質を浄化する水質浄化機器と
前記水質浄化機器で水質が改善された水を出水する出水部と、
手動ポンプを有し、前記自吸式ポンプの呼び水が確保できない運転開始時の際、該手動ポンプの手動操作で原水を取水して、前記自吸式ポンプの内部へ呼び水として供給する呼び水供給手段と、を具備し、
前記呼び水供給手段は、前記手動ポンプの吸込部が前記自吸式ポンプの吐出部から前記出水部までの経路の一部に接続され、前記手動ポンプの吐出部が経路外に開口させることを特徴とする緊急浄化装置。
【請求項２】
前記自吸式ポンプは、吸込み側に逆流防止用の逆止弁を有し、
前記呼び水供給手段は、前記手動ポンプの吸込部が前記逆止弁の一次側に接続され、前記手動ポンプの吐出部が前記自吸式ポンプの吐出側に接続されてなることを特徴とする請求項１に記載の緊急浄化装置。
【請求項３】
前記水質浄化機器は、自吸式ポンプの吐出部から前記出水部までの経路の間に、順に直列に接続された、浄水器、滅菌器、マイクロろ過装置を有し、
前記呼び水供給手段は、前記手動ポンプの吸込部が前記浄水器の二次側に接続され、前記手動ポンプの吐出部を経路外に開口させることを特徴とする請求項１に記載の緊急浄化装置。
【請求項４】
前記自吸式ポンプは、自吸式の渦巻きポンプもしくはカスケードポンプであることを特徴とする請求項１乃至請求項３のいずれか一つに記載の緊急浄化装置。
【発明の詳細な説明】
【技術分野】
【０００１】
本発明は、緊急時の飲用水や生活水などの確保に用いられる緊急浄化装置に関する。
【背景技術】
【０００２】
地震、水害、台風等の災害時における、被災者や避難者に対する飲用水や生活水を確保する装置として、貯水槽、池、水質に難点の有る井戸など水源地の水を飲用水に適した水質にまで浄化させる緊急浄化装置がある。
【０００３】
こうした緊急浄化装置は、災害時など緊急な状況下で使用されるため、特に簡便な取り扱い性が求められる。
【０００４】
そこで、従来、緊急浄化装置には、取水ポンプとして、自吸が不要な容積式ポンプ、多くはゴム製のベーンを採用したラバーベーンポンプを用い、同ポンプの吐出側に水質を浄化する水質浄化機器を接続した構造を用いて、自吸に要する作業をできるだけ省いて、迅速に取水できるようにすることが行なわれている。すなわち容積式ポンプは、ラバーベーンなど羽根車の一部を相手部材に接触させてシールし、この状態で羽根車を回して容積を変化させる構造である。この構造から、容積式ポンプは、運転さえ始めれば、ラバーベーンが相手部材と摺接し続けながらドライ回転して、当初、ポンプ吸込部から延びる吸込管内の空気を排出するという自吸運転が行なわれ、ポンプ内部が水で満たされるにしたがい、水を汲み上げる揚水運転に代わる。
【発明の開示】
【発明が解決しようとする課題】
【０００５】
ところで、ラバーベーンポンプのような容積式ポンプが行なう自吸は、ラバーベーンが相手部材と摺接し続けるドライ運転なので、ラバーベーンなどの部品は、かなりの負担が強いられる。そのため、ラバーベーンポンプのような容積式ポンプの自吸揚程は、摩擦熱によりゴムが溶けるなど耐久性の点から、自吸式の渦巻きポンプやカスケードポンプなど遠心式ポンプに比べ、かなり低い。例えば自吸式井戸ポンプ（渦巻きポンプやカスケードポンプ）の自吸揚程は、８ｍ程度であるが、ラバーベーンポンプになると、４ｍ程度である。
【０００６】
緊急浄化装置の取水距離は、この自吸揚程によって制限を受ける。このため、ラバーベーンポンプなど容積ポンプを採用している緊急浄化装置の場合、取水場所によっては、満足な取水が行なえないおそれがある。
【０００７】
そこで、ラバーベーンポンプの代わりに、自吸性能が優れた（自吸揚程：高）自吸式の渦巻きポンプやカスケードポンプ（自吸式井戸ポンプ）を用いることが考えられる。
【０００８】
こうした自吸式の渦巻きポンプやカスケードポンプなど自吸式ポンプは、容積式ポンプとは異なり、ポンプ運転に先立ち、ポンプ内部を呼び水で満たしておかないと、自吸運転、すなわちポンプ自身の運転で、該ポンプの吸込部から延びる吸込管から空気を排出する運転が行なえない。
【０００９】
ところが、緊急浄化装置が用いられる災害発生場所の多くは、水道が復旧せず、飲用水や雑用水などの入手が困難となっている場所なので、呼び水といえども調達は難しい。このため、呼び水と必要とする自吸式ポンプを用いた緊急浄化装置は、現在、製品として無い事情にある。
【００１０】
そこで、本発明の目的は、呼び水と必要とする自吸式ポンプを用いて、速やかに水質が改善された水を供給できる緊急浄化装置を提供する。
【課題を解決するための手段】
【００１１】
請求項１に記載の発明は、上記目的を達成するために、呼び水が必要な原水取水用の自吸式ポンプと、前記自吸式ポンプから吐出された水の水質を浄化する水質浄化機器と前記水質浄化機器で水質が改善された水を出水する出水部と、手動ポンプを有し、前記自吸式ポンプの呼び水が確保できない運転開始時の際、該手動ポンプの手動操作で原水を取水して、前記自吸式ポンプの内部へ呼び水として供給する呼び水供給手段と、を具備し、前記呼び水供給手段は、前記手動ポンプの吸込部が前記自吸式ポンプの吐出部から前記出水部までの経路の一部に接続され、前記手動ポンプの吐出部が経路外に開口させる構成を採用した。
【００１２】
請求項２に記載の発明は、上記目的に加え、既存の部品を流用した簡単な構造で呼び水がポンプ内部に供給されるよう、自吸式ポンプには、吸込み側に逆流防止用の逆止弁を有した構造を用い、呼び水供給手段には、手動ポンプの吸込部が逆止弁の一次側に接続され、手動ポンプの吐出部が自吸式ポンプの吐出側に接続された構造を用いて、手動ポンプの手動操作により、原水を自吸ポンプの吐出側からポンプ内部へ注入させて、該ポンプ内部を原水で満たされるようにした。
【００１４】
請求項３に記載の発明は、同じく、水質浄化機器は、自吸式ポンプの吐出部から出水部間に、順に直列に接続された、浄水器、滅菌器、マイクロろ過装置を有した構成とし、呼び水供給手段には、手動ポンプの吸込部が浄水器の二次側に接続され、手動ポンプの吐出部が当該浄水器の二次側から分岐した流出部にさせた構成として、さらに、手動ポンプの手動操作により、浄水器を通過した後の処理水を雑用水として用いられるようにした。
【００１５】
請求項４に記載の発明は、上記目的に加え、最も飲用水や生活水などの供給に適するよう、自吸式ポンプには、自吸式の渦巻きポンプもしくはカスケードポンプを用いた。
【発明の効果】
【００１６】
自吸式ポンプの採用により、取水距離の制限を受けずにすむ。しかも、自吸式ポンプの運転開始時の際、別途、呼び水が確保できなくとも、手動ポンプの手動操作だけで、現地で、容易に自吸式ポンプの呼び水を調達ならびに補給することができ、呼び水と必要とする自吸式ポンプで迅速に対応できる。
【００１７】
それ故、緊急浄化装置は、自吸式ポンプの利点、すなわち取水距離の制限を受けないという利点を活かして、どのような場所や状況でも、速やかに被災者や避難者などへ、水質が改善された水を供給することができる。
【００１８】
ポンプ吸込み側に組み付く逆止弁以外は不要な構造で、自吸式ポンプの内部に呼び水を与えることができ、部品点数の削減化、コスト的の軽減化が図れ、簡単な構造、さらには低コストで、緊急浄化装置の性能の向上を図ることができる。
【００１９】
簡単な手動ポンプの設置により、自吸式ポンプの内部に呼び水を与えることができる。特に浄水器の二次側に手動ポンプの吸込部を接続する構造だと、手動ポンプは、呼び水の確保だけでなく、雑用水の確保にも利用できる。
【００２０】
十分に取水距離が確保でき、飲用水や雑用水などの供給に好適である。
【発明を実施するための最良の形態】
【００２１】
［第１の実施形態］
以下、本発明を図１〜図３に示す第１の実施形態にもとづいて説明する。
【００２２】
図１は、例えば災害発生場所に緊急浄化装置１を据え付けて、水源地、例えば水質に難点の有る井戸Ｗから、飲用水や雑用水を確保しようとする状態を示している。
【００２３】
緊急浄化装置１は、例えば枠線Ａで囲まれる部分の各機器をベース（図示しない）や台車（図示しない）に搭載して、可搬可能としたユニットである。緊急浄化装置１について説明すると、２は、運転開始時に呼び水が必要な原水取水用の自吸式ポンプ、例えば自吸式の渦巻きポンプ２ａで構成された自吸式井戸ポンプを示し、３は、同ポンプ２の吐出側に接続された浄化回路、４は、同ポンプ２へ呼び水を供給するための呼び水供給機構部（本願の呼び水供給手段に相当）を示している。
【００２４】
このうち自吸式井戸ポンプ２（渦巻きポンプ）のポンプ部２ｂは、例えば、羽根車５を回転自在に収めた渦巻き形状のポンプ室６、ポンプ室４の前面側に分離用の仕切り部５を隔てて形成された戻り室８、仕切り部５の下部側に形成された再流入口９、ポンプ室４および戻り室８の上方に形成された分離室１０を有している。戻り室８の前面には、羽根車５の中央の吸込部５ａと連通する吸込室１１が形成してある。この吸込み室１１の前面上部には、吸込口部１２が設けられ、分離室１０の上部には、吐出口部１３が設けられていて、運転開始に先立ち、羽根車５が浸るまで、ポンプ内部を水で満たしてから、羽根車５を回転させると、自吸が行なえる構造にしてある。すなわち、自吸は、羽根車５の回転により水と空気とを混合させる泡立作用、分離室１０で空気を分離する分離作用、水だけをポンプ室６へ戻す戻し作用により行なわれる。また吸込口部１２には、逆流防止用の逆止弁１４が内蔵されていて、ポンプ内部の水がポンプ外へ逆流しない構造としてある。羽根車５には、駆動源として例えば電動モータ１６が接続され、与えられる電力により、電動モータ１６を励磁すると、自吸や揚水が行なわれるようにしてある（電動モータ駆動式）。なお、１７ａは、例えば分離室１０の上部に形成された呼び水投入口、１７ｂは、同呼び水投入口１７ａを開閉するキャップを示す。
【００２５】
この自吸式井戸ポンプ２（渦巻きポンプ）の吸込部１２が、接続管１８を介して、緊急浄化装置１の原水用の流入部１ａに接続してある。そして、この流入部１ａに、継ぎ手１９を介して、井戸Ｗの内部から延びる吸込管２０が接続され、井戸Ｗから原水である井戸水を取水可能としている。
【００２６】
浄化回路３には、各種の水質を改善する機器、例えばプレフィルタとして役割を果たす、不織布フィルタや活性炭フィルタなどのろ材２５ａが内蔵された浄水器２５、滅菌処理（殺菌を含む）を施す、薬液タンク２６ａや薬液注入ポンプ２６ｂをもつ滅菌器２６、微細な色度成分や有機物や滅菌を免れた細菌等を除去する膜式ろ過装置、例えばＭＦフィルタ（例えば０．１μ程度のポリプロピレン製精密中空糸膜）２７をフィルタハウジング２８内に封入させた構造のマイクロろ過装置２９などを組み合わせた構造が用いられている。詳しくは、浄化回路３には、自吸式井戸ポンプ２の吐出口部１３に、接続管３０を介して、順に直列に浄水器２５、滅菌器２６、マイクロろ過装置２９を接続した構造が用いられる。そして、マイクロろ過装置２９の出口部には、出水部として、蛇口で形成される給水栓３１が接続され、飲用に適した水質まで改善された水が給水栓３１から流出されるようにしてある。
【００２７】
また浄水器２５と滅菌器２６間をつなぐ接続管３０ａからは、雑用水用の流出部１ｂにつながる管部３２が分岐している。そして、この流出部１ｂに、中継管３３ａを介して、蛇口で形成された複数の散水栓３３が接続され、浄水器２５を通過して、雑用に適した水質（中間水質）となった水が散水栓３３から流出されるようにしている。なお、３４は、接続管３０ａに介装されたメンテナンス用の開閉弁を示す。
【００２８】
呼び水供給機構部４には、手動ポンプ、例えば手押しポンプ４０で、自吸式井戸ポンプ２の内部を原水で満たせる構造が用いられている。同構造には、例えば自吸式井戸ポンプ２の吸込側に組み付けてある逆止弁１４の一次側と、同ポンプ２の吐出側との間をバイパスするように手押しポンプ４０を組み付けた構造が用いられている。詳しくは、手押しポンプ４０には、例えば底部に吸込部４２をもち、上段側部に吐出部４３をもつシリンダ４４内に、手押しレバー４５による操作で往復動するピストン４６を内蔵させたピストン式のポンプ構造が用いてある。この手押しポンプ４０の吸込部４２が、一次側のバイパス管４７ａを介して、逆止弁１４の一次側に配管された接続管１８に接続され、また吐出部４３が、二次側のバイパス管４７ｂを介して、自吸式井戸ポンプ２の吐出側となる吐出口部１３と浄水器２５間に配管された接続管３０ｂに接続してある。ここで、例えば吸込部４２には、吸込弁（図示しない）が内蔵され、例えばピストン４６や吐出部４３には吐出弁（図示しない）が組み込まれていて、呼び水投入口１７ａを開いて自吸式井戸ポンプ２の内部を大気開放（給水栓３１、散水栓３３：閉）させてから、手押しポンプ４０を操作（手動）すると、ピストン４０の往復動がもたらす吸・吐動作（ポンプ動作）により、井戸Ｗから井戸水（原水）が取水され、該井戸水が同ポンプ２の吐出口部１３からポンプ内部（ポンプ室６、戻り室８、吸込室１１）へ送り出される（逆流）ようにしている。そして、自吸式井戸ポンプ２に組み付けてある逆止弁１４により、吸込口部１２から逃げずに、ポンプ内部が井戸水で充満されるようにしている。また呼び水投入口１７ａを閉じて、手押しポンプ４０を操作（手動）すると、逆止弁１４により、井戸Ｗから取水された井戸水が浄化回路３へ送り出されるようになっていて、自吸式井戸ポンプ２が使用できないとき、該ポンプ２に代替して井戸水の取水ができるようにもしてある。
【００２９】
つぎに、このように構成された緊急浄化装置１の作用について説明する。
【００３０】
今、緊急浄化装置１は、災害発生場所、例えば電力の供給は発電機などで受けられるが、飲用水や雑用水などの入手が困難な地区に据え付けられているとする。そして、吸込管２０、散水栓３３などの配管作業や各種機器に対する電力供給の準備を終えて、これから飲用水の給水を行なうとする。
【００３１】
このときには、緊急浄化装置１の運転開始に先立ち、まず、自吸式井戸ポンプ２に呼び水を与える。
【００３２】
このとき、通常であれば、給水栓３１、散水栓３２を閉め、自吸式井戸ポンプ２の呼び水投入口１７ａを開放させ、同呼び水投入口１７ａから、別途、用意した水を入れて、呼び水とするが、災害地では、水道が復旧していないので、呼び水用の水を調達することは難しい。
【００３３】
そこで、このときには呼び水の確保のため、手押しポンプ４０を使用する。具体的には、手押しポンプ４０の手押しレバー４５を上下方向に繰り返し揺動操作して、吸込管１５から井戸Ｗの井戸水（原水）を汲み上げる。
【００３４】
ここで、呼び水投入口１７ａは「開」、給水栓３１、散水栓３３は「閉」なので、汲み上げられた井戸水は、図２に示されるように接続管１８、バイパス管４７ａ、バイパス管４７ｂおよび接続管３０ｂを経て、吐出口部１３へ送り出される。そして、井戸水は、吐出口部１３から逆流して自吸式井戸ポンプ２の内部へ注水される。なお、呼び水投入口１７ａからは、注水にしたがいポンプ内部や配管内の空気が大気へ排出される。この井戸水の流入により、図３（ａ）に示されるようにポンプ内部の各室（ポンプ室６、戻り室８および吸込室１１）は、次第に井戸水で満たされ、呼び水となっていく。
【００３５】
この呼び水の供給を、井戸水で各室６，８，１１が充満されるまで続ける。供給作業を終える時点では、例えば図３（ａ）に示されるように羽根車５のほぼ全体が井戸水で浸された状態となる。その後、呼び水投入口１７ａをキャップ１７ｂで塞ぐ。これで、自吸式井戸ポンプ２は、再び密閉され、自吸が行なえる体制が整う。つまり、呼び水が確保される。
【００３６】
その後、例えば非常用電源としての発電機で、電動モータ１６や滅菌器２６へ給電してから、給水栓３１を開く。
【００３７】
すると、自吸式井戸ポンプ２の羽根車５が回転し、自吸が始まる。自吸は、羽根車５内の水が遠心力により飛ばされ、吐出側へ移動して、羽根車５の内部が空気だけの状態となることを利用して、吐出側へ移動した水の一部を例えば羽根車５に戻し、羽根車５内の空気と混合させ、空気を気泡状にして、ポンプ内部の水の流れに乗せて吐出側に運ぶことに行なわれる。具体的には、例えば図３（ｂ）に示されるように自吸は、羽根車５の回転により水と空気を混合して空気を気泡状にする泡立作用と、分離室１０で水と空気とに分離して空気だけを排出する分離作用と、残る水だけを戻り室８および再流入口９からポンプ室６へ還流させる戻し作用とを繰り返すことによって行なわれる。これにより、吸込管２０内や接続管１８内に残留していた空気は徐々に排出され、次第に吸込管２０内や接続管１８内に井戸水が流れ込む。そして、図３（ｃ）に示されるよう吸込管２０内の水面が吸込口部１２に達するまで上昇すると、自吸が完了し、以後、図３（ｃ）に示されるような羽根車５の遠心力により井戸水を汲み上げる揚水運転に切り換わる。なお、一旦、自吸式井戸ポンプ２の内部は、呼び水で満たされると、その後は、自吸式井戸ポンプ２が停止しても、逆止弁１４による吸込管２０のサイホン現象の遮りにより、ポンプ内部から水は井戸Ｗへ落ちない。
【００３８】
すると、自吸式井戸ポンプ２から吐出された井戸水は、浄水器２５へ送られる。そして、浄水器２５を通過する間に同浄水器２５のろ材（不織布フィルタ、活性炭フィルタなど）により、井戸水に含まれるごみや有機物や濁度成分が取り除かれる。浄水器２５で処理された処理水は、開閉弁３４を経て、滅菌器２６へ送られ、同滅菌器２６を通過する間に、該処理水へ薬液が注入される。これにより、処理水に含まれる一般細菌などが殺菌される。
【００３９】
滅菌処理を終えた処理水は、マイクロろ過装置２９へ送られる。この最終のマイクロろ過装置２９を通過する間に、同マイクロろ過装置２９のＭＦフィルタ２７にて、処理水に残る微少な色度成分や微少な有機物が取り除かれる。こうした処理により、井戸水（水源水）は、飲用に適した水質となる。この水質の水が給水栓３１から出水され、被災者や避難者などへ飲用水として供される。なお、散水栓３３を開けば、浄水器２５で処理されただけの水質の水が出水される。
【００４０】
このような緊急浄化装置１によると、自吸式井戸ポンプ２（自吸式渦巻きポンプ）は、容積式ポンプよりも、自吸揚程がかなり高いので、緊急浄化装置１は、容積式ポンプのような取水距離の制限は受けずにすみ、取水距離を十分に確保することができる。しかも、自吸式井戸ポンプ２の運転開始の際、別途、呼び水が確保できなくとも、原水さえ確保されてさえいれば、手押しポンプ４０で行なう原水の取水作業により、呼び水は、入手な困難な災害地といった現地でも、容易、かつ迅速に調達ならびに補給することができ、迅速に対応ができる。
【００４１】
これにより、取水距離の点で利点の有る自吸式井戸ポンプ２を活用して、緊急浄化装置１の性能を大幅に向上させることができる。
【００４２】
したがって、現地が、たとえ水源と緊急浄化装置１間で大きな落差がある場合、さらには水源と緊急浄化装置１との距離が離れているような場合など、どのような場所や状況でも、緊急浄化装置１を駆使して、速やかに被災者や避難者などへ、水質の改善された水を供給できる。特に自吸式井戸ポンプ２として、自吸式の渦巻きポンプ２ａを用いてあると、十分な取水距離が確保でき、飲用水や雑用水（散水など）の給水には好適である。しかも、渦巻きポンプ２ａのような遠心式ポンプは、容積式ポンプのベーンのような摺接部品はないので、騒音も低い。
【００４３】
そのうえ、手押しポンプ４０は、吸込部４２を逆止弁１４の一次側に接続し、吐出部４３を自吸式井戸ポンプ２の吐出側に接続して、手動ポンプ４０で取水した原水を吐出口部１３から自吸式ポンプ２の内部へ導く構造を採用したので、無駄に弁類を用いず、自吸式ポンプ２の内部に呼び水が供給できる。すなわち、例えば手動ポンプで自吸式ポンプ２の吸込口部１２から原水をポンプ内部へ流出させるために、手動ポンプの吸込部を逆止弁１４の一次側に接続する場合、同手動ポンプの吐出部も逆止弁１４の一次側に接続させることになる。これだと、手動ポンプ４０から吐出された原水が吸込部４２側へ戻らないようにするため、別途、吸込部４２と吐出部４３間を遮る弁装置が必要となる。これに対し、原水を吐出口部１３へ逆流させて呼び水を供給する構造だと、通常、自吸式ポンプ２の吸込側に組み付く逆流防止用の逆止弁１４以外、弁類は不要なので、その分、簡単な構造、低コストで、緊急浄化装置１の性能向上を図ることができる。
【００４４】
そのうえ、手押しポンプ４０は、自吸式井戸ポンプ２の故障時や非常用電源の停電時に、そのまま取水用ポンプとして使用できる利点がある。
【００４５】
［第２の実施形態］
図４は、本発明の第２の実施形態を示す。
【００４６】
本実施形態は、手押しポンプ４０（手動ポンプ）の吸込部４２を、自吸式井戸ポンプ２の吐出口部１３（吐出部）から給水栓３１（出水部）までの経路の一部に接続し、吐出部４３を経路外となる外部に開口させることによって、部品点数を増やさずに、手押しポンプ４０で汲み上げた井戸水（原水）を、自吸式井戸ポンプ２の吸込口部１２からポンプ内部へ注水できるようにしたものである。
【００４７】
具体的には、手押しポンプ４０の吸込部４２は、管部３２を介して、浄水器２５と滅菌器２６との間に接続してある。吐出部４３は、雑用水の中継をなす中継管３３ａに接続され、自吸式井戸ポンプ２の吐出口部１３から給水栓３１（出水部）までの経路外に開口させる配管としてある。これで、手押しポンプ４０によって汲み上げられた井戸水が、接続管１８、自吸式井戸ポンプ２、接続管３０ｂおよび浄水器２５を経て、管部３２から吐出部４３へ送り出される。これにより、自吸式井戸ポンプ２の内部には井戸水が注水され、さらに内部の空気も大気へ排出され、ポンプ内部が呼び水で満たされる。なお、この場合、呼び水投入口１７ａは閉じたままでよい。
【００４８】
したがって、第１の実施形態と同様、自吸式井戸ポンプ２の運転開始の際、別途、呼び水が確保できなくとも、原水さえ確保されてさえいれば、手押しポンプ４０で行なう原水の取水作業により、呼び水は、入手な困難な災害地といった現地でも、容易、かつ迅速に調達ならびに補給することができる。そのうえ、手押しポンプ４０は、浄水器２５を通過した井戸水を外部へ送り出す構造なので、呼び水の確保だけでなく、自吸式井戸ポンプ２の運転時や故障時などの際、容易に雑用水が確保できる利点がある。
【００４９】
［第３の実施形態］
図５は、本発明の第３の実施形態を示す。
【００５０】
本実施形態は、カスケードポンプ２ｃ（渦流れ式ポンプ）で構成される自吸式井戸ポンプ２を用いた例を示す。カスケードポンプ２ｃを用いても同様な効果を奏する。
【００５１】
図４中、１４は逆止弁、５０はポンプ部、５１は電動モータ、５２はカバーをそれぞれ示している。
【００５２】
［第４の実施形態］
図６は、本発明の第４の実施形態を示す。
【００５３】
第１〜３の実施形態では、予め逆止弁１４が組み付けられた自吸式井戸ポンプ２を採用したが、これに限らず、図６に示されるように逆止弁が付いていない自吸式井戸ポンプ２を用い、この自吸式井戸ポンプ２の吸込側に、別途、逆止弁１４を設ける構造でもよい。
【００５４】
但し、図４〜図６において第１の実施形態と同じ部分には同一符号を付してその説明を省略した。
【００５５】
なお、本発明は上述した実施形態に限定されるものではなく、本発明の主旨を逸脱しない範囲内で種々変更して実施しても構わない。例えば上述した実施形態では、手動ポンプとして、手押しポンプを用いたが、これに限らず、他の構造、形式の手動ポンプを用いてもよい。
【図面の簡単な説明】
【００５６】
【図１】本発明の第１の実施形態に係る緊急浄化装置の構成を説明するための図。
【図２】手動ポンプを用いて自吸式ポンプに呼び水を供給するときを説明する図。
【図３】自吸式ポンプで行なわれる自吸ならびに揚水を説明するための断面図。
【図４】本発明の第２の実施形態の要部を説明するための図。
【図５】本発明の第３の実施形態の要部を説明するための断面図。
【図６】本発明の第４の実施形態の要部を説明するための図。
【符号の説明】
【００５７】
１ａ…流入部、１ｂ…流出部、２…自吸式井戸ポンプ（自吸ポンプ）、４…呼び水供給機後部（呼び水供給手段）、１４…逆止弁、２５，２６，２９…浄水器，滅菌器，マイクロろ過装置（水質改善機器）、３１…給水栓（出水部）、４０…手押しポンプ（手動ポンプ）、４２…吸込部、４３…吐出部、４７ａ，４７ｂ…バイパス管。
【図１】
0004624906.tif 000002
【図２】
0004624906.tif 000003
【図３】
0004624906.tif 000004
【図４】
0004624906.tif 000005
【図５】
0004624906.tif 000006
【図６】
0004624906.tif 000007